【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
懸濁媒体に凝固した微小球の懸濁液が入っている容器と
流体入口、第１の流体出口、および第２の流体出口を具備する液体サイクロン（ＨＣ−１）であって、前記流体入口が前記容器に流体連絡して前記懸濁液を受容し、前記第２の流体出口が、前記容器中の前記懸濁液に比べて高い濃度の前記微小球を含む前記懸濁液の流れを排出し、前記第１の流体出口が、前記容器中の前記懸濁液に比べて低い濃度の前記微小球を含む前記懸濁媒体の流れを排出する、液体サイクロンと
前記第２の流体出口と流体連結している入口を具備する湿潤篩または中空糸フィルタと
を含む、微小球を処理するためのシステム。
【請求項２】
前記懸濁液を受容するための前記第２の出口と流体連結している入口を具備する中空糸フィルタを含む、請求項１に記載のシステム。
【請求項３】
前記懸濁液を受容するための前記第２の出口と流体連結している入口を具備する湿潤篩を含む、請求項１に記載のシステム。
【請求項４】
流体入口、第１の流体出口、および第２の流体出口を具備する第２の液体サイクロン（ＨＣ−２）を含み、前記流体入口が液体サイクロンＨＣ−１の前記第１の流体出口と流体連結しており、前記ＨＣ−２の第２の流体出口が、流体サイクロンＨＣ−１の前記第１流体出口から排出される前記懸濁液の流れに比べて高い濃度の前記微小球を含む前記懸濁液の流れを排出し、前記システムが、前記中空糸フィルタまたは湿潤篩の入口に流体連結するために、前記ＨＣ−１の第２の流体出口からの前記懸濁液と前記ＨＣ−２の第２の流体出口からの前記懸濁液を合わせる、請求項１に記載のシステム。
【請求項５】
前記湿潤篩または前記中空糸フィルタの前記入口とＨＣ−１の第２の流体出口との間に介入し、流体連結している溶媒除去容器（ＳＲＶ）をさらに含み、前記ＳＲＶが前記ＨＣ−１の前記第２の流体出口から排出される前記懸濁液中の微小球を受容および洗浄し、前記懸濁液から溶媒を除去することができる、請求項１に記載のシステム。
【請求項６】
前記ＳＲＶから前記懸濁液を受容するための入口と、前記ＳＲＶの入口と流体連結している出口とを具備する中空糸フィルタを含み、前記ＳＲＶからの前記懸濁液を再循環させることができる前記システムが前記中空糸フィルタを通り抜け、前記ＳＲＶへ戻る、請求項５に記載のシステム。
【請求項７】
前記湿潤篩または前記中空糸フィルタの前記入口と前記ＨＣ−１および前記ＨＣ−２の第２の流体出口との間に介入し、流体連結している溶媒除去容器（ＳＲＶ）をさらに含み、前記ＳＲＶが、前記ＨＣ−１および前記ＨＣ−２の前記第２の流体出口から排出され、合わされる前記懸濁液中の微小球を受容および洗浄し、前記懸濁液から溶媒を除去することができる、請求項４に記載のシステム。
【請求項８】
前記ＳＲＶからの前記懸濁液を受容するための入口と、前記ＳＲＶの入口と流体連結している出口とを具備する中空糸フィルタを含み、前記ＳＲＶからの前記懸濁液を再循環させることができる前記システムが前記中空糸フィルタを通り抜け、前記ＳＲＶへ戻る、請求項７に記載のシステム。
【請求項９】
容器内で懸濁媒体中の凝固した微小球の懸濁液を形成するステップと；
前記懸濁液を、前記容器から液体サイクロン（ＨＣ−１）の流体入口に移動させるステップであって、前記ＨＣ−１が第１の流体出口および第２の流体出口をさらに含むステップと；
前記第２の流体出口から、前記容器中の前記懸濁液に比べて濃縮された前記微小球を含む前記懸濁液の流れを除去するステップと；
前記第１の流体出口から、前記容器中の前記懸濁液に比べて低い濃度の前記微小球を含む前記懸濁液の流れを除去するステップと；
前記懸濁液を、前記第２の流体出口から中空糸フィルタまたは湿潤篩の入口に移動させるステップと
を含む、微小球を処理するための方法。
【請求項１０】
前記懸濁液を、前記第２の流体出口から中空糸フィルタの入口に移動させるステップを含む、請求項９に記載の方法。
【請求項１１】
前記懸濁液を、前記第２の流体出口から湿潤篩の入口に移動させるステップを含む、請求項９に記載の方法。
【請求項１２】
前記懸濁液を、ＨＣ−１の前記第１の流体出口から、第１の流体出口と第２の流体出口とを具備する第２の液体サイクロン（ＨＣ−２）の流体入口に移動させるステップと；
前記ＨＣ−２の第２の流体出口から、ＨＣ−１の前記第１の流体出口から排出される前記懸濁液に比べて、高い濃度の前記微小球を含む前記懸濁液の流れを除去するステップと；
前記ＨＣ−２の第１の流体出口から、前記ＨＣ−２の第２の流体出口から排出される前記懸濁液に比べて、低い濃度の前記微小球を含む前記懸濁液の流れを除去するステップと；
前記ＨＣ−１およびＨＣ−２の流体出口からの前記懸濁液を合わせて、中空糸フィルタまたは湿潤篩の入口に移動させるステップと
をさらに含む、請求項９に記載の方法。
【請求項１３】
前記懸濁液を、前記ＨＣ−１の前記第２の流体出口から、前記懸濁液中の前記微小球を受容および洗浄することができる溶媒除去容器（ＳＲＶ）の流体入口に移動させるステップと、
前記懸濁液を、前記ＳＲＶの出口から前記中空糸フィルタまたは湿潤篩の前記入口に移動させるステップと
をさらに含む、請求項９に記載の方法。
【請求項１４】
前記懸濁液を、前記ＨＣ−１の前記第２の流体出口から前記ＳＲＶの前記流体入口に移動させるステップと；
前記懸濁液を、前記ＳＲＶの前記出口から中空糸フィルタの入口に移動させるステップと；
前記懸濁液を、前記中空糸フィルタの出口から前記ＳＲＶの前記入口に移動させるステップと
をさらに含む、請求項１３に記載の方法。
【請求項１５】
前記懸濁液を、前記ＨＣ−１および前記ＨＣ−２の前記第２の流体出口から、前記懸濁液中の前記微小球を受容および洗浄することができる溶媒除去容器（ＳＲＶ）の流体入口に移動させるステップと、
前記懸濁液を、前記ＳＲＶの出口から前記中空糸フィルタまたは湿潤篩の前記入口に移動させるステップと
をさらに含む、請求項１２に記載の方法。
【請求項１６】
前記懸濁液を、前記ＳＲＶの前記出口から中空糸フィルタの入口に移動させるステップと；
前記懸濁液を、前記中空糸フィルタの出口から前記ＳＲＶの前記入口に移動させるステップと
をさらに含む、請求項１５に記載の方法。
【請求項１７】
前記第２の流体出口からの前記懸濁液の流れの前記微小球の１０％累積体積率（ＣＶＦ）が、ＨＣ−１に入る前記懸濁液中の前記微小球の１０％ＣＶＦに比べて増加するように、前記ＨＣ−１のアペックスＩＤおよび入口流量の一方または両方を選択するステップをさらに含む、請求項９に記載の方法。
【請求項１８】
前記第２の流体出口からの前記懸濁液の流れの前記微小球の１０％累積体積率（ＣＶＦ）が、ＨＣ−１に入る前記懸濁液中の前記微小球の１０％ＣＶＦに比べて少なくとも４８％増加するように、前記ＨＣ−１のアペックスＩＤおよび入口流量の一方または両方を選択するステップをさらに含む、請求項９に記載の方法。
【請求項１９】
前記第２の流体出口からの前記懸濁液の流れの前記微小球の１０％累積体積率（ＣＶＦ）が、ＨＣ−１に入る前記懸濁液中の前記微小球の１０％ＣＶＦに比べて少なくとも６３％増加するように、前記ＨＣ−１のアペックスＩＤおよび入口流量の一方または両方を選択するステップをさらに含む、請求項９に記載の方法。
【請求項２０】
前記第２の流体出口からの前記懸濁液の流れの前記微小球の１０％累積体積率（ＣＶＦ）が、ＨＣ−１に入る前記懸濁液中の前記微小球の１０％ＣＶＦに比べて少なくとも８２％増加するように、前記ＨＣ−１のアペックスＩＤおよび入口流量の一方または両方を選択するステップをさらに含む、請求項９に記載の方法。
【請求項２１】
前記ＨＣ−２の前記第２の流体出口からの前記懸濁液の流れの前記微小球の１０％累積体積率（ＣＶＦ）が、前記液体サイクロンＨＣ−１に入る前記懸濁液中の前記微小球の１０％ＣＶＦに比べて少なくとも４８％増加するように、前記ＨＣ−１およびＨＣ−２のアペックスＩＤおよび入口流量の一方または両方を選択するステップをさらに含む、請求項１２に記載の方法。
【請求項２２】
前記ＨＣ−１が、前記ＨＣ−１に入る前記懸濁液中の前記微小球の１０％累積体積率（ＣＶＦ）に比べて、前記第２の流体出口からの前記懸濁液の流れの前記微小球の１０％ＣＶＦを増加するアペックスＩＤおよび入口流量を有する、請求項１に記載のシステム。
【請求項２３】
前記ＨＣ−１が、前記ＨＣ−１に入る前記懸濁液中の前記微小球の１０％累積体積率（ＣＶＦ）に比べて、前記第２の流体出口からの前記懸濁液の流れの前記微小球の１０％ＣＶＦを少なくとも４８％増加するアペックスＩＤおよび入口流量を有する、請求項１に記載のシステム。
【請求項２４】
前記ＨＣ−１が、前記ＨＣ−１に入る前記懸濁液中の前記微小球の１０％累積体積率（ＣＶＦ）に比べて、前記第２の流体出口からの前記懸濁液の流れの前記微小球の１０％ＣＶＦを少なくとも６３％増加するアペックスＩＤおよび入口流量を有する、請求項１に記載のシステム。
【請求項２５】
前記ＨＣ−１が、前記ＨＣ−１に入る前記懸濁液中の前記微小球の１０％累積体積率（ＣＶＦ）に比べて、前記第２の流体出口からの前記懸濁液の流れの前記微小球の１０％ＣＶＦを少なくとも８２％増加するアペックスＩＤおよび入口流量を有する、請求項１に記載のシステム。
【請求項２６】
懸濁媒体に凝固した微小球の懸濁液が入っている容器と
流体入口、第１の流体出口、および第２の流体出口を具備する液体サイクロン（ＨＣ−１）であって、前記流体入口が前記容器に流体連絡して前記懸濁液を受容し、前記第２の流体出口が、前記容器中の前記懸濁液に比べて高い濃度の前記微小球を含む前記懸濁液の流れを排出し、前記第１の流体出口が、前記容器中の前記懸濁液に比べて低い濃度の前記微小球を含む前記懸濁媒体の流れを排出する、液体サイクロンと
前記第２の流体出口と流体連結している入口を具備する湿潤篩または中空糸フィルタと
を含み、
前記ＨＣ−１が、前記ＨＣ−１に入る前記懸濁液中の前記微小球の１０％累積体積率（ＣＶＦ）に比べて、前記第２の流体出口からの前記懸濁液の流れの前記微小球の１０％ＣＶＦを少なくとも４８％増加するアペックスＩＤおよび流量を有する、微小球を処理するためのシステム。